(57)【要約】      （修正有）【課題】次工程へのアルカリ金属珪酸塩水溶液の持ち出しを効果的に防止して、排水処理を低コスト化できる平版印刷版支持体の処理装置を提供する。【解決手段】アルカリ金属珪酸塩水溶液１６が貯留された処理液槽１４の下流側には、置換手段２２が設けられる。置換手段２２は、支持体に下方から接触する置換ロール２４と、置換ロール２４の下方に設けられた新鮮水槽２６と、を有し、置換ロール２４は、その上部で支持体に接触すると共に下部で新鮮水２８に浸漬された状態で、矢印Ｒ１方向に回転する。新鮮水槽２６には、切欠部３２が形成され新鮮水２８の一部が、切欠部３２から処理液槽１４へと流下する。支持体２０の下面では、置換ロール２４に付着した新鮮水２８が、支持体２０との接触部分でアルカリ金属珪酸塩水溶液１６と置換され、支持体の下面のアルカリ金属珪酸塩水溶液が１６除去される。【選択図】図１
2007090579.tif 000002
【特許請求の範囲】
【請求項１】
アルカリ金属珪酸塩水溶液が貯留され、一定方向に搬送されるウエブが部分的にアルカリ金属珪酸塩水溶液に浸漬される処理液槽と、
前記処理液槽よりも前記搬送方向下流側に設けられ、浸漬後のウエブに付着したアルカリ金属珪酸塩水溶液を新鮮水で置換すると共にこの新鮮水の少なくとも一部を処理液層に供給する置換手段と、
を有することを特徴とする平版印刷版支持体の処理装置。
【請求項２】
前記置換手段が、
前記ウエブに下方から接触して回転する置換ロールと、
新鮮水が貯留され前記置換ロールが部分的に浸漬される新鮮水槽と、
前記新鮮水槽の新鮮水の一部を前記処理液槽に送る送水部材と、
を含んで構成されていることを特徴とする請求項１に記載の平版印刷版支持体の処理装置。
【請求項３】
前記置換手段が、
前記ウエブに下方から接触して回転する置換ロールと、
前記置換ロールへ新鮮水を吐出するスプレーと、
前記置換ロールから流下した新鮮水を前記処理液槽に送る送水部材と、
を含んで構成されていることを特徴とする請求項１に記載の平版印刷版支持体の処理装置。
【発明の詳細な説明】
【技術分野】
【０００１】
本発明は、平版印刷版支持体の処理装置に関し、さらに詳しくは、平版印刷版支持体をアルカリ金属珪酸塩水溶液に浸漬して表面の親水性を上げるための処理装置に関する。
【背景技術】
【０００２】
平版印刷版の支持体の表面処理では、表面性状を所定のものとするために、支持体を処理液槽に貯留された各種の処理液に浸漬することがある。この表面処理において、処理液を次工程に持ち出してしまことは好ましくない。このため、例えば特許文献１では、２つの異なる処理液を使用する工程の間に、水洗及び液置換用の２組以上のニップローラを設け、該ニップローラに、水または次工程の処理液を滴下するウエブ表面の水洗処理方法が記載されている。
【０００３】
ところで、平版印刷版支持体の表面処理には、表面の親水性を上げるため、アルカリ金属珪酸塩水溶液に支持体を浸漬させる親水化処理が行われることが多い。ところが、アルカリ金属珪酸塩水溶液による親水化処理では、ＳｉＯ２に起因する固形物がニップローラに析出するため、ニップローラを使用できない。したがって、アルカリ金属珪酸塩水溶液が平版印刷版支持体に付着した状態で、次工程である水洗工程に送られることとなり、水洗工程でのアルカリ金属珪酸塩水溶液の濃度が高くなる。そして、この排水を処理するために、多大なコストが必要になる。
【特許文献１】特開平１−１８８６８２号公報
【発明の開示】
【発明が解決しようとする課題】
【０００４】
本発明は、上記事実を考慮し、次工程へのアルカリ金属珪酸塩水溶液の持ち出しを効果的に防止して、排水処理を低コスト化できる平版印刷版支持体の処理装置を得ることを課題とする。
【課題を解決するための手段】
【０００５】
請求項１に記載の発明では、アルカリ金属珪酸塩水溶液が貯留され、一定方向に搬送されるウエブが部分的にアルカリ金属珪酸塩水溶液に浸漬される処理液槽と、前記処理液槽よりも前記搬送方向下流側に設けられ、浸漬後のウエブに付着したアルカリ金属珪酸塩水溶液を新鮮水で置換すると共にこの新鮮水の少なくとも一部を処理液層に供給する置換手段と、を有することを特徴とする。
【０００６】
本発明では、ウエブが処理液槽内のアルカリ金属珪酸塩水溶液に浸漬されて、表面処理（いわゆるシリケート処理）が行われる。
【０００７】
その後、置換手段により、浸漬後のウエブに付着したアルカリ金属珪酸塩水溶液を新鮮水で置換すると共にこの新鮮水の少なくとも一部を処理液層に供給することができる。したがって、次工程へのアルカリ金属珪酸塩水溶液の持ち出しを効果的に防止でき、しかも、次工程での廃水処理が不要となるので、低コスト化できる。
【０００８】
請求項２に記載の発明では、請求項１に記載の発明において、前記置換手段が、前記ウエブに下方から接触して回転する置換ロールと、新鮮水が貯留され前記置換ロールが部分的に浸漬される新鮮水槽と、前記新鮮水槽の新鮮水の一部を前記処理液槽に送る送水部材と、を含んで構成されていることを特徴とする。
【０００９】
したがって、新鮮水槽内の新鮮水が置換ロールでウエブに送られてアルカリ金属珪酸塩水溶液と置換される。置換ロール上には、新鮮水の他に、アルカリ金属珪酸塩水溶液も付着するが、置換ロールが新鮮水槽内の新鮮水に再度浸漬されるので、置換ロールの表面には新鮮水が付着する。また、送水部材によって、新鮮水槽の新鮮水の一部が処理液槽に送られる。
【００１０】
このように、簡単な構成で、アルカリ金属珪酸塩水溶液との置換に使用した新鮮水を処理液槽に送ることができる。
【００１１】
請求項３に記載の発明では、請求項１に記載の発明において、前記置換手段が、前記ウエブに下方から接触して回転する置換ロールと、前記置換ロールへ新鮮水を吐出するスプレーと、前記置換ロールから流下した新鮮水を前記処理液槽に送る送水部材と、を含んで構成されていることを特徴とする。
【００１２】
したがって、スプレーから置換ロールに供給された新鮮水が置換ロールでウエブに送られてアルカリ金属珪酸塩水溶液と置換される。置換ロールから流下した新鮮水（アルカリ金属珪酸塩水溶液もわすかに含まれている）は、送水部材によって処理液槽に送られる。
【００１３】
このように、簡単な構成で、アルカリ金属珪酸塩水溶液との置換に使用した新鮮水を処理液槽に送ることができる。
【発明の効果】
【００１４】
本発明は上記構成としたので、次工程へのアルカリ金属珪酸塩水溶液の持ち出しを効果的に防止して、排水処理を低コスト化できる。
【発明を実施するための最良の形態】
【００１５】
図１には、本発明の第１実施形態の平版印刷版支持体の処理装置１２が示されている。処理装置１２は、上面が解放された処理液槽１４を有しており、処理液槽１４内には、アルカリ金属珪酸塩水溶液１６が貯留されている。図示しない搬送装置によって矢印Ｆ方向に搬送された長尺状の平版印刷版支持体２０は、複数の案内ロール１８で案内されつつ、アルカリ金属珪酸塩水溶液１６に浸漬される。これにより、支持体２０にはいわゆるシリケート処理が施され、表面の親水性が向上される。
【００１６】
処理液槽１４よりも支持体２０の搬送方向下流には、置換手段２２が設けられている。置換手段２２は、支持体２０に下方から接触する置換ロール２４と、置換ロール２４の下方に設けられた新鮮水槽２６と、を有している。置換ロール２４は、支持体２０を下方から支持しつつ、図示しない回転装置によって矢印Ｒ１方向に回転する。
【００１７】
新鮮水槽２６は上面が開放されると共に内部に新鮮水２８が貯留されており、置換ロール２４の下部が部分的に浸漬されている。したがって、置換ロール２４は、その上部で支持体２０に接触すると共に下部で新鮮水２８に浸漬された状態で、矢印Ｒ１方向に回転する。
【００１８】
新鮮水槽２６には、補充管３０によって、常時あるいは適宜、補充水が供給されるようになっている。
【００１９】
新鮮水槽２６には、本発明の送水部材として、新鮮水２８の水面位置よりも下方まで切りかけられた切欠部３２が形成されている。新鮮水槽２６の位置は、切欠部３２が処理液槽１４の上方に位置するように決められている。したがって、新鮮水２８の一部が、切欠部３２から処理液槽１４へと流下する。
【００２０】
このようにして処理液槽１４へと流れ込んだ新鮮水の量は、図示しない水量計によって計量されるようになっている。この計量値に基づいて処理液槽１４内に、アルカリ金属珪酸塩水溶液の原液（あるいはその他の必要な液）を補充するため、その濃度や組成が不用意に変化してしまうことはない。
【００２１】
なお、置換手段２２（置換ロール２４）の上方には、支持体２０の上面のアルカリ金属珪酸塩水溶液を噴射エアーで除去するためのエアスプレー３４が配置されている。
【００２２】
置換手段２２よりも下流側には、支持体２０を水洗処理する水洗装置３６が備えられている。
【００２３】
このような構成とされた第１実施形態の処理装置１２では、搬送途中の支持体２０が処理液槽１４内のアルカリ金属珪酸塩水溶液１６に浸漬されることでいわゆるシリケート処理され、表面の親水性が向上される。
【００２４】
支持体２０の搬送により、支持体２０に付着したアルカリ金属珪酸塩水溶液１６は、支持体２０と共に処理液槽１４の外部へ移動するが、支持体２０の上面のアルカリ金属珪酸塩水溶液は、エアスプレー３４からの噴射エアーで除去される。
【００２５】
これに対し、支持体２０の下面には、置換ロール２４が接触しつつ矢印Ｒ１方向に回転している。置換ロール２４に付着した新鮮水が、支持体２０との接触部分でアルカリ金属珪酸塩水溶液と置換されるので、支持体２０の下面のアルカリ金属珪酸塩水溶液も除去される。
【００２６】
ここで、置換ロール２４には、新鮮水の他に、支持体２０から除去したアルカリ金属珪酸塩水溶液も付着するが、回転によって置換ロール２４の下部が新鮮水槽２６内の新鮮水２８に浸漬されることで、置換ロール２４の表面が、再度新鮮水で置き換えられる。置換ロール２４の回転によってこの処理が繰り返されるので、連続して支持体２０の下部からアルカリ金属珪酸塩水溶液を除去できる。
【００２７】
この処理により、新鮮水槽２６内の新鮮水２８には、わすかにアルカリ金属珪酸塩水溶液が混入するが、新鮮水槽２６には、補充管３０から新鮮水が供給されるので、新鮮水２８の一部は、切欠部３２から流下して処理液槽１４に流下する。したがって、処理液槽１４内において、アルカリ金属珪酸塩の濃度は極めて低い状態（実質的に、新鮮水とみなせる程度）に維持される。
【００２８】
このように、本実施形態では、置換ロール２４の回転によって支持体２０の下面に新鮮水を供給し、アルカリ金属珪酸塩水溶液と置換することで、支持体２０の下面のアルカリ金属珪酸塩水溶液を確実に除去でき、次工程への持ち出しを防止できる。
【００２９】
また、置換に使用した新鮮水を処理液槽１４へ供給している。以上により、次工程での水洗装置３６による排水処理が不要もしくは、簡易になるので、低コスト化も可能となる。
【００３０】
図２には、本発明の第２実施形態の処理装置５２が示されている。第２実施形態では、第１実施形態と比較して、置換手段の構成のみが異なっているが、他は同一構成とされている。第１実施形態と同一の構成要素、部材等については、同一符号を付して、その詳細な説明を省略する。
【００３１】
第２実施形態に係る置換手段６２は、処理液槽１４と置換ロール２４の間に、新鮮水スプレー６４が配置されている。新鮮水スプレー６４には、図示しない水供給ユニットから新鮮水が供給されるようになっており、この新鮮水を、置換ロール２４に向けて噴射する。このときの噴射位置は、置換ロール２４が支持体２０を支持している部分よりも、回転方向の上流側とされている。したがって、置換ロール２４に付着した新鮮水が、置換ロール２４の回転で支持体２０の位置まで移動し、支持体２０の下面のアルカリ金属珪酸塩水溶液と置換される。
【００３２】
置換ロール２４の下方には、受水槽６６が配置されており、置換ロール２４から流下した新鮮水及びアルカリ金属珪酸塩水溶液が一時的に貯留されるようになっている。
【００３３】
受水槽６６にも、第１実施形態の新鮮水槽２６と同様に切欠部３２が形成されており、置換ロール２４から流下して貯留された新鮮水及びアルカリ金属珪酸塩水溶液が、切欠部３２から処理液槽１４へ流れ込む。
【００３４】
このような構成とされた第２実施形態の処理装置５２においても、第１実施形態の処理装置１２と同様に、搬送途中の支持体２０が処理液槽１４内のアルカリ金属珪酸塩水溶液１６に浸漬されることでいわゆるシリケート処理され、表面の親水性が向上される。また、処理後の支持体２０の上面のアルカリ金属珪酸塩水溶液は、エアスプレー３４からの噴射エアーで除去される。
【００３５】
支持体２０の下面では、置換ロール２４の回転により、置換ロール２４に付着した新鮮水がアルカリ金属珪酸塩水溶液と置換され、アルカリ金属珪酸塩水溶液も除去される。
【００３６】
ここで、置換ロール２４から流下した新鮮水及びアルカリ金属珪酸塩水溶液は、一時的に受水槽６６に貯留され、さらに切欠部３２から、処理液槽１４へ流れる。
【００３７】
このように、第２実施形態においても、置換ロール２４の回転によって支持体２０の下面に新鮮水を供給し、アルカリ金属珪酸塩水溶液と置換することで、支持体２０の下面のアルカリ金属珪酸塩水溶液を確実に除去でき、次工程への持ち出しを防止できる。
【００３８】
また、置換に使用した新鮮水を処理液槽１４へ供給しているので、次工程での排水処理が不要となるので、低コスト化も可能となる。
【００３９】
なお、上記第２実施形態では、置換ロール２４から流下した新鮮水及びアルカリ金属珪酸塩水溶液を一旦受水槽６６で受けるようにしたが、この受水槽６６に代えて、他の部材で新鮮水やアルカリ金属珪酸塩水溶液を受ける（一時的に貯留する）ようにしてもよい。
【実施例】
【００４０】
以下、本発明を実施例によってさらに詳細に説明するが、本発明はこの実施例に限定されるものではない。
【００４１】
＜実施例＞
本実施例では、図１に示す第１実施形態の処理装置１２を使用して、支持体２０にシリケート処理を施した。補充管３０からは、５０リットル／分で新鮮水を新鮮水槽２６に補充した。
【００４２】
その結果、水洗装置３６での水洗排水のＰＨは８に収まり、処理する必要なく排出可能であった。
【００４３】
＜比較例＞
比較例では、図３に示すように、新鮮水槽２６を設けることなく、置換ロール２４が単に支持体２０の下面に接触して回転するのみの構成（実質的にアルカリ金属珪酸塩水溶液を新鮮水で置換しないため、置換ロールとして機能していない）とし、これ以外は実施例と同一構成として、支持体２０にシリケート処理を施した。そして、水洗装置３６では、５００リットル／分の処理水で水洗した。
【００４４】
その結果、水洗排水のＰＨが１０まで上昇し、中和処理が必要となった。
【図面の簡単な説明】
【００４５】
【図１】本発明の第１実施形態の平版印刷版支持体の処理装置を示す概略構成図である。
【図２】本発明の第２実施形態の平版印刷版支持体の処理装置を示す概略構成図である。
【図３】比較例の平版印刷版支持体の処理装置を示す概略構成図である。
【符号の説明】
【００４６】
１２   処理装置
１４   処理液槽
１６   アルカリ金属珪酸塩水溶液
１８   案内ロール
２０   平版印刷版支持体（ウエブ）
２２   置換手段
２４   置換ロール
２６   新鮮水槽
２８   新鮮水
３０   補充管
３２   切欠部（送水部材）
３４   エアスプレー
３６   水洗装置
５２   処理装置
６２   置換手段
６４   新鮮水スプレー
６６   受水槽
【図１】
2007090579.tif 000003
【図２】
2007090579.tif 000004
【図３】
2007090579.tif 000005